(57)【特許請求の範囲】
【請求項１】
導電板と、
この導電板を挿入するための挿入口を有し、その挿入口に前方から挿入された導電板を内部に保持するハウジングと、
前記ハウジングにおける前記挿入口が形成された前面に沿って配されるカバー部と前記導電板に接続される複数の端子金具を抜け止めするリテーナ部とが一体に設けられたカバー付きリテーナとを備え、
前記ハウジングには、前記複数の端子金具に係止してこれらの端子金具を抜け止めする複数のランスが設けられており、前記カバー部には、前記複数のランスを外部に臨ませる複数の開口が個別に設けられており、
前記ハウジングには、前記複数の導電板が並んで組み込まれており、隣り合う一対の前記導電板の間の隙間は、前記カバー部によって前方から覆われることを特徴とするコネクタ。
【請求項２】
前記カバー付きリテーナは、前記端子金具の挿抜を許容する仮係止位置と、前記端子金具に係止してこの端子金具を抜け止めする本係止位置との間を移動可能とされており、前記仮係止位置にあるときに前記ランスが前記開口を通して外部に臨むことを特徴とする請求項１に記載のコネクタ。
【請求項３】
前記端子金具は、前記ハウジングの前面とは反対側に形成された後面から挿入されるようになっており、前記ハウジングの後面には、前記導電板の配置を示す目印が設けられていることを特徴とする請求項１または請求項２に記載のコネクタ。
【発明の詳細な説明】
【技術分野】
【０００１】
本発明は、コネクタに関する。
【背景技術】
【０００２】
従来、バスバーが組み込まれた雄ハウジングと、この雄ハウジングに嵌合可能な雌ハウジングとからなるコネクタとして、例えば、下記特許文献１に記載のものが知られている。雌ハウジングの内部には、複数の雌端子が挿入されており、雌雄両コネクタを嵌合させると、各雌端子がバスバーによって短絡されるようになっている。雄ハウジングは、雌ハウジングを内部に受け入れるフード部を有しており、このフード部の後壁に対して前側（雌ハウジングとの嵌合面側）からバスバーが圧入によって組み込まれている。
【０００３】
また、雄ハウジングと雌ハウジングを一体化した一体化ハウジングを形成したコネクタとして、例えば、下記特許文献２に記載のものが知られている。このコネクタでは、一体化ハウジングの前側からバスバーを組み込むとともに、一体化ハウジングの後側から雌端子を挿入することになる。したがって、一体化ハウジングの前壁には、バスバーを挿入するためのバスバー挿入口が形成されることになり、バスバーがバスバー挿入口を通して一体化ハウジングの前方に露出し、露出したバスバーに結露が発生したり、異物が付着したりするおそれがある。
【先行技術文献】
【特許文献】
【０００４】
【特許文献１】特開２００８−２１４９８号公報
【特許文献２】特開２０１０−６７４８３号公報
【発明の概要】
【発明が解決しようとする課題】
【０００５】
しかしながら、１つの一体化ハウジングに対して複数のバスバーが組み込まれる構成を採用した場合には、隣り合う一対のバスバーが、前記した結露や異物付着などによって電気的にリークする可能性がある。
【０００６】
本発明は上記のような事情に基づいて完成されたものであって、ハウジングを一体化した上で、結露や異物付着などによってリークすることを防ぐことを目的とする。
【課題を解決するための手段】
【０００７】
本発明は、導電板と、この導電板を挿入するための挿入口を有し、その挿入口に前方から挿入された導電板を内部に保持するハウジングと、ハウジングにおける挿入口が形成された前面に沿って配されるカバー部と導電板に接続される複数の端子金具を抜け止めするリテーナ部とが一体に設けられたカバー付きリテーナとを備え、ハウジングには、複数の端子金具に係止してこれらの端子金具を抜け止めする複数のランスが設けられており、カバー部には、複数のランスを外部に臨ませる複数の開口が個別に設けられており、ハウジングには、複数の導電板が並んで組み込まれており、隣り合う一対の導電板の間の隙間は、カバー部によって前方から覆われる構成としたところに特徴を有する。
【０００８】
このような構成によると、従来のように、雄ハウジングと雌ハウジングを嵌合させる必要がなく、雌雄両ハウジングを一体化させたハウジングを採用しているため、部品点数を少なくし、小型化を図ることができる。また、一体化ハウジングを採用した場合、ハウジングの挿入口からバスバーが外部に露出することにより、結露の発生や異物付着などが懸念されるところ、ハウジングの前面がカバー付きリテーナのカバー部によって覆われているため、結露や異物付着などによるリークを防ぐことができる。なお、開口から治具を挿入してランスによる係止を解除してもよい。
また、一対の導電板の間の隙間がカバー部によって前方から覆われるため、異物が隙間へ進入してリークすることを防ぐことができる。
【０００９】
本発明の実施の態様として、以下の構成が好ましい。
カバー付きリテーナは、端子金具の挿抜を許容する仮係止位置と、端子金具に係止してこの端子金具を抜け止めする本係止位置との間を移動可能とされており、仮係止位置にあるときにランスが開口を通して外部に臨む構成としてもよい。
このような構成によると、カバー付きリテーナを仮係止位置に装着した状態で端子金具をハウジングに挿入することができる。また、カバー付きリテーナを仮係止位置から本係止位置へ移動させると、ランスとリテーナ部によって端子金具を二重で抜け止めすることができる。さらに、カバー付きリテーナを本係止位置から仮係止位置へ移動させると、開口から治具を挿入してランスによる係止を解除することができる。
【００１１】
端子金具は、ハウジングの前面とは反対側に形成された後面から挿入されるようになっており、ハウジングの後面には、導電板の配置を示す目印が設けられている構成としてもよい。
このような構成によると、端子金具をハウジングの後面から挿入する際に、目印を見ながら挿入することができるため、端子金具と導電板を正しい組み合わせで接続することができる。
【発明の効果】
【００１２】
本発明によれば、ハウジングを一体化した上で、結露や異物付着などによってリークすることを防ぐことができる。
【図面の簡単な説明】
【００１３】
【図１】コネクタの分解斜視図
【図２】カバー付きリテーナが仮係止位置にある状態を示すコネクタの斜視図
【図３】カバー付きリテーナが本係止位置にある状態を示すコネクタの斜視図
【図４】ハウジングの正面図
【図５】カバー付きリテーナが仮係止位置にある状態を示すコネクタの正面図
【図６】カバー付きリテーナが本係止位置にある状態を示すコネクタの正面図
【図７】図５におけるＡ−Ａ線断面図
【図８】図６におけるＢ−Ｂ線断面図
【図９】図６におけるＣ−Ｃ線断面図
【図１０】カバー付きリテーナが仮係止位置にある状態を示すコネクタの背面図
【発明を実施するための形態】
【００１４】
＜実施形態＞
本発明の実施形態を図１ないし図１０の図面を参照しながら説明する。本実施形態におけるジョイントコネクタ１０は、図１に示すように、合成樹脂製のハウジング２０、大小２種類のバスバーＢ１，Ｂ２、カバー付きリテーナ４０などを備えて構成されている。このジョイントコネクタ１０は、例えば、ワイヤハーネス（図示せず）の幹線から引き出された支線を分岐して電気信号を取り出したり、複数の電線をまとめてアース接続したりするのに使用される。また、ジョイントコネクタ１０の後面１１側には、複数の端子金具（図示せず）が挿入されるようになっており、これらの端子金具は、同一のバスバーＢ１，Ｂ２に接続されることによって互いに短絡される。なお、ジョイントコネクタ１０の上面１２には、金属ブラケット（図示せず）が差し込まれて装着されるカセット部１３が設けられている。
【００１５】
バスバーＢ１，Ｂ２は、導電性の良い金属板をプレス加工することによって形成されている。バスバーＢ１，Ｂ２は、板状をなすつなぎ部Ｃ１，Ｃ２と、このつなぎ部Ｃ１，Ｃ２の側縁から角棒状をなして突出する複数のタブ状端子Ｔ１，Ｔ２とを備えて構成されている。各バスバーＢ１，Ｂ２のつなぎ部Ｃ１，Ｃ２には、抜止突起Ｐ１，Ｐ２が複数設けられている。これらの抜止突起Ｐ１，Ｐ２は、各タブ状端子Ｔ１，Ｔ２と対応する位置に配されている。
【００１６】
ハウジング２０の前面２１には、図４に示すように、各バスバーＢ１，Ｂ２が挿入される上下２段の挿入口２２が形成されている。各段の挿入口２２には、大きいバスバーＢ１と小さいバスバーＢ２が１個ずつ左右に並んで挿入されるようになっている。図７に示すように、抜止突起Ｐ１，Ｐ２が挿入口２２の内壁上面に形成された段差２３に係止することによってバスバーＢ１，Ｂ２が前方に移動することが規制され、ハウジング２０の内部に保持されている。
【００１７】
ハウジング２０における挿入口２２の後方には、端子金具が挿入されるキャビティ２４が形成されている。キャビティ２４の内壁下面には、片持ち状をなして前方に突出するランス２５が形成されている。このランス２５は、上下方向に撓み可能とされている。ハウジング２０におけるランス２５の前方には、同ランス２５を成形するための型抜き孔２６が形成されている。この型抜き孔２６には、ランス２５を下方に撓ませるための解除治具（図示せず）が挿入可能とされている。
【００１８】
ハウジング２０におけるランス２５の後方には、リテーナ装着口２７が設けられている。このリテーナ装着口２７は、図１に示すように、全てのキャビティ２４を横切る配置でハウジング２０の下面と左右両側面との３面に開口するように切り欠かれて形成されている。リテーナ装着口２７には、後述するカバー付きリテーナ４０のリテーナ部４２が装着されるようになっている。
【００１９】
カバー付きリテーナ４０は上面開口の略箱形をなし、左右方向に長い板状をなすカバー部４１と、左右方向に長い格子状のリテーナ部４２と、カバー部４１とリテーナ部４２を連結する連結部４３とを備えて構成されている。連結部４３は、底板４４と、底板４４の両側縁から上方に立ち上がる一対の側板４５，４５とを備えている。カバー部４１は、底板４４の前縁から上方に立ち上がる形態とされている。連結部４３の側板４５は、カバー部４１の側縁とリテーナ部４２の側面とを互いに連結している。
【００２０】
カバー付きリテーナ４０は、ハウジング２０に対して図２に示す仮係止位置と図３に示す本係止位置との間で上下方向に移動可能に装着されている。側板４５の内側面における上縁には、前後方向に延びる係止突縁４８が形成されている。一方、ハウジング２０の側面２８には、側板４５が装着される装着凹部２９が形成されている。この装着凹部２９には、係止突縁４８が係止可能な上下一対の突起３０，３１が形成されている。上側に位置する突起３０は本係止突起とされ、下側に位置する突起３１は仮係止突起とされている。
【００２１】
係止突縁４８が仮係止突起３１と本係止突起３０の間に嵌まり込んで上下方向に係止すると、カバー付きリテーナ４０が仮係止位置に保持される。また、係止突縁４８が本係止突起３０と装着凹部２９の上縁との間に嵌まり込んで上下方向に係止すると、カバー付きリテーナ４０が本係止位置に保持される。本係止位置では、図３に示すように、側板４５が装着凹部２９に対してほぼ適合して装着され、ハウジング２０の下面と底板４４とがほぼ面一をなして配置される。
【００２２】
カバー部４１には、複数の開口４６が板厚方向に貫通して形成されている。開口４６は略正方形状をなし、上下２段で左右方向に複数並んで配されている。開口４６は、図７に示すように、仮係止位置においてハウジング２０の型抜き孔２６と並ぶように配されている。したがって、図５に示す仮係止位置においては、開口４６と型抜き孔２６を通してランス２５がジョイントコネクタ１０の前方に臨んだ状態となる。この状態では、ジョイントコネクタ１０の前方から開口４６と型抜き孔２６を通して解除治具が挿入され、ランス２５の先端を下方に撓ませて端子金具との係止を解除できるようになっている。
【００２３】
一方、図６に示す本係止位置においては、ランス２５がカバー部４１における開口４６の下側部分によってほぼ覆われた状態となっているものの、バスバーＢ１，Ｂ２が挿入口２２と開口４６を通してジョイントコネクタ１０の前方に臨んだ状態となる。
【００２４】
リテーナ部４２は、カバー付きリテーナ４０の装着に伴ってリテーナ装着口２７に装着されるようになっている。図７に示す仮係止位置では、リテーナ部４２の格子部分を構成する上下一対の係止壁４７，４７がキャビティ２４の下方に退避しており、端子金具のキャビティへの挿抜を許容するようになっている。一方、図８に示す本係止位置では、各係止壁４７，４７がキャビティ２４に入り込んで端子金具に対して後方から係止可能とされている。このため、端子金具は、ランス２５と係止壁４７によって二重係止状態で抜け止めされる。
【００２５】
カバー部４１において左右方向に隣り合う一対の開口４６，４６の間には、複数の隔壁４９が形成されている。これらの隔壁４９は、挿入口２２に挿入されたバスバーＢ１，Ｂ２の隣り合うタブ状端子Ｔ１，Ｔ２の間の隙間を前方から覆うように配されている。また、隣り合う一対のバスバーＢ１，Ｂ２の間の隙間も、隔壁４９によって前方から覆われるようになっている。これにより、隣り合う一対のバスバーＢ１，Ｂ２の間においては、隔壁４９によって結露の発生が規制され、異物付着が規制されるため、バスバーＢ１，Ｂ２が電気的にリークすることが規制される。
【００２６】
ジョイントコネクタ１０の後面１１には、図１０に示すように、バスバーＢ１，Ｂ２の配置を示すライン１５が形成されている。このライン１５は、例えば、レーザーマーカーによって印字される。図１０において図示左側のライン１５は、小さいバスバーＢ２に対応するものであって、一番左側から５番目までの５つのキャビティ２４に端子金具を挿入すると、各端子金具が小さいバスバーＢ２によって互いに短絡することを意味している。一方、図１０において図示右側のライン１５は、大きいバスバーＢ１に対応するものであって、一番右側から６番目までの６つのキャビティ２４に端子金具を挿入すると、各端子金具が大きいバスバーＢ１によって互いに短絡することを意味している。本実施形態では、上段側のキャビティ２４に対応するライン１５は、同キャビティ２４とジョイントコネクタ１０の上面１２との間の狭小領域に配され、下段側のキャビティ２４に対応するライン１５は、同キャビティ２４とジョイントコネクタ１０の下面１４との間の領域に配されている。これにより、端子金具とこれに対応したバスバーＢ１，Ｂ２とを正しく接続することができる。
【００２７】
本実施形態は以上のような構成であって、続いてその作用を説明する。まず、ジョイントコネクタ１０の組み立て方法について説明する。カバー付きリテーナ４０をハウジング２０に下方から組み付けると、リテーナ装着口２７にリテーナ部４２が装着されるとともに、ハウジング２０の前面２１に沿ってカバー部４１が配置される。この間、ハウジング２０におけるリテーナ装着口２７よりも前方部分が、カバー部４１とリテーナ部４２の間に収容され、カバー付きリテーナ４０が上方へ平行移動しながら仮係止位置へと案内される。
【００２８】
両側板４５，４５が開き変形しながら係止突縁４８が仮係止突起３１を乗り越えると、両側板４５，４５が弾性的に復帰して係止突縁４８が仮係止突起３１と本係止突起３０の間に嵌まり込み、カバー付きリテーナ４０が仮係止位置に至る。この仮係止位置では、係止突縁４８が仮係止突起３１に係止することでカバー付きリテーナ４０がハウジング２０の下方へ抜けることが規制される。また、係止突縁４８が本係止突起３０に係止することでカバー付きリテーナ４０が仮係止位置から本係止位置へ移動することが規制される。この状態で端子金具をハウジング２０の後方からキャビティ２４に挿入すると、端子金具が係止壁４７と干渉することなく移動し、ランス２５を下方に撓ませつつ正規の装着位置に至ると、ランス２５が弾性的に復帰するとともに、端子金具に対して後方から係止した状態となる。これにより、端子金具がキャビティ２４からハウジング２０の後方へ抜けることが規制される。
【００２９】
次に、カバー付きリテーナ４０を仮係止位置から本係止位置へ移動させると、両側板４５，４５が開き変形しながら係止突縁４８が本係止突起３０を乗り越えて、両側板４５，４５が弾性的に復帰するとともに、係止突縁４８が本係止突起３０と装着凹部２９の上縁との間に嵌まり込む。この状態では、側板４５が装着凹部２９にほぼ適合して装着されており、係止突縁４８が本係止突起３０に係止することでカバー付きリテーナ４０が本係止位置から仮係止位置へ移動することが規制される。また、リテーナ部４２がリテーナ装着口２７にほぼ適合して装着されることにより、係止壁４７が端子金具に対して後方から係止した状態となる。この結果、端子金具は、ランス２５とリテーナ部４２によって二重係止された状態となり、後方へ抜け止めされた状態でキャビティ２４に強固に保持される。
【００３０】
この状態では隔壁４９が隣り合う一対のバスバーＢ１，Ｂ２の間に形成された隙間の前方に配置されることになる。したがって、隔壁４９によって隣り合う一対のバスバーＢ１，Ｂ２の間に結露が発生することが規制され、これらのバスバーＢ１，Ｂ２を跨ぐようにして異物が付着することが規制される。この結果、隣り合う一対のバスバーＢ１，Ｂ２の間にリーク電流が流れることを規制できる。
【００３１】
以上のように本実施形態では、ハウジング２０の前面にカバー部４１を配したから、隣り合う一対のバスバーＢ１，Ｂ２間に結露が発生したり、異物が付着するなどして隣り合う一対のバスバーＢ１，Ｂ２がリークすることを規制できる。この結果、雌雄両ハウジングを一体化させたハウジング２０を形成した場合においても、隣り合う一対のバスバーＢ１，Ｂ２のリークを防ぐことができる。また、仮係止位置にあるときに開口４６を通して型抜き孔２６に解除治具を挿入することができるため、ランス２５の解除操作を行うことができる。また、端子金具をキャビティ２４に挿入する際に、ライン１５を見ながら挿入することができるため、バスバーＢ１，Ｂ２と端子金具を正しい組み合わせで接続することができる。
【００３２】
＜他の実施形態＞
本発明は上記記述及び図面によって説明した実施形態に限定されるものではなく、例えば次のような実施形態も本発明の技術的範囲に含まれる。
（１）上記実施形態ではハウジング２０の各段に一対のバスバーＢ１，Ｂ２がそれぞれ組み込まれているものの、本発明によると、ハウジング２０の各段に１つのバスバーをそれぞれ組み込むようにしてもよい。
【００３３】
（２）上記実施形態ではバスバーＢ１，Ｂ２の配置をライン１５によって示しているものの、本発明によると、例えば、各段に３つのバスバーが組み込まれているとした場合、中央のバスバーの配置を示すラインを表示することなく、左右両側のバスバーの配置を示すラインのみを表示してもよい。
【００３４】
（３）上記実施形態では側板４５を有するカバー付きリテーナ４０を例示しているものの、本発明によると、側板を設けることなく底板のみでカバー部とリテーナ部を連結したカバー付きリテーナとしてもよい。
【符号の説明】
【００３５】
１０...ジョイントコネクタ
２０...ハウジング
２１...前面
２２...挿入口
２５...ランス
４０...カバー付きリテーナ
４１...カバー部
４２...リテーナ部
４６...開口
４９...隔壁
Ｂ１，Ｂ２...バスバー（導電板）
【図１】
0005751191.tif 000002
【図２】
0005751191.tif 000003
【図３】
0005751191.tif 000004
【図４】
0005751191.tif 000005
【図５】
0005751191.tif 000006
【図６】
0005751191.tif 000007
【図７】
0005751191.tif 000008
【図８】
0005751191.tif 000009
【図９】
0005751191.tif 000010
【図１０】
0005751191.tif 000011